(57)【要約】【課題】テープカートリッジを縦長姿勢で長期にわたって保管する際に、テープリールや記録テープの重みでリールロック構造のロック爪がクリープ変形するのを防止する。【解決手段】一対のテープリール２・２の隣接空間に一対のロックピース１８と、各ロックピース１８をロック付勢するロックばね１９を設ける。ロックピース１８は、テープリール２の周縁に設けた係合歯１５とロック係合する弾性変形可能なロック爪２１を備えている。保管状態において、テープリール２および記録テープ３の重みをロック爪２１を介して受け止める爪支持ピース３０を本体ケース１の内部に設ける。爪支持ピース３０はばね板材を素材にして、装着壁３３と、装着壁３３に連続して折り曲げ連出される一対のばね腕３１とで構成する。【選択図】図１
2008165878.tif 000002
【特許請求の範囲】
【請求項１】
本体ケースの内部左右に記録テープを巻き取る一対のテープリールが配置され、前記一対のテープリールの隣接空間に、各テープリールに対応して一対のロックピースと、各ロックピースをロック付勢するロックばねが設けてあるテープカートリッジであって、
前記ロックピースには、前記テープリールの周縁に設けた係合歯とロック係合する弾性変形可能なロック爪が設けられており、
保管状態において、前記テープリールおよび前記記録テープの重みを、前記ロック爪を介して受け止める爪支持ピースが前記本体ケースの内部に設けられており、
前記爪支持ピースが、前記ロック爪を個別に受け止める一対のばね腕と、前記本体ケースに設けた溶着ピンに溶着固定される装着壁と、前記装着壁が前記溶着ピンの周りに回動変位するのを規制する位置決め体とを備えており、
前記位置決め体を、前記本体ケースに設けた位置規制部で受け止めて、前記爪支持ピースを前記溶着ピンの周りに回動規制できるテープカートリッジ。
【請求項２】
前記一対のばね腕が、前記両ばね腕の基端どうしを結ぶ縦壁を介して連続しており、
前記縦壁の上端に連続して前記装着壁が前記ばね腕の連出方向と同じ方向へ折り曲げ形成されて、その面壁に前記溶着ピンと係合するピン穴が形成されており、
前記縦壁の下端に連続して前記位置決め壁が前記装着壁とは逆向きに折り曲げ形成されており、
前記本体ケースの内面に、前記装着壁を受け止める溶着座が突設され、その上端に前記溶着ピンが形成されており、
前記溶着座に隣接して、前記位置決め壁の周縁を受け止める前記位置規制部が本体ケースに形成してある請求項１記載のテープカートリッジ。
【請求項３】
前記ロックピースが、前記本体ケースで前後スライド自在に案内支持される本体部と、前記本体部から連出されるく字状の前記ロック爪とを含んで構成されており、
前記ロック爪の前記ばね腕との対向面に、前記ばね腕で受け止められる規制突起が形成してある請求項１または２記載のテープカートリッジ。
【発明の詳細な説明】
【技術分野】
【０００１】
本発明は、本体ケースの内部に左右一対のテープリールと、両テープリールを回転不能にロック保持するためのリールロック構造を備えているテープカートリッジに関する。
【背景技術】
【０００２】
この種のリールロック構造において、左右のテープリールを個別にロック保持できるリールロック構造がある（特許文献１参照）。そこでは、各テープリールに対応して設けた一対のロックピースを、それぞれ独立して前後スライド自在に案内支持し、捻りコイル型のばねでロック付勢している。ロックピースは、ブロック状のピース本体と、ピース本体から連出される弾性変形可能なロック爪とを備えたプラスチック成形品からなり、ロック爪の先端が下フランジの外周縁に設けた係合歯と係合して、不使用時におけるテープリールの回転を規制する。特許文献２にも類似するリールロック構造が開示してある。
【０００３】
【特許文献１】特開２００１−３１９４５２号公報（段落番号００２６、図２）
【特許文献２】実公平４−４７８１０号公報（第４頁右欄３５行の文節、第１図）
【発明の開示】
【発明が解決しようとする課題】
【０００４】
収納時におけるテープカートリッジは、本体ケースの後壁に貼り付けたタイトルラベルを表示する必要上、本体ケースの後壁が縦長になる状態で保管することが多い。そのため、本体ケースの内部においては、両テープリールのそれぞれが記録テープを含む重みで下降移動する。このときのロックピースのロック爪は、テープリールと記録テープの重量を受けて大きく弾性変形した状態となり、テープカートリッジを長期にわたって収納保管する場合に、ロック爪がクリープ変形することがある。とくに、保管時に上側に位置するテープリールに、記録テープの全てが巻き込まれている場合には、テープリールと記録テープの全体重量が大きくなるため、ロック爪の変形量が増え短期間でクリープ変形しやすい。
【０００５】
上記のようにロック爪がクリープ変形してしまうと、その後にテープカートリッジを使用するとき、テープリールを確実にロック保持することが困難となる。そのため、以後のテープカートリッジの取り扱い時に、クリープ変形したロック爪と対応するテープリールが遊転して、記録テープが弛むおそれがある。また、使用者は、駆動穴に露出するテープリールを回転操作して、リールロック構造が正常に作動しているのを確かめない限りは、ロック爪がクリープ変形しているか否かを知ることはできず、リールロック構造の異常を的確に発見できない。なお、テープ弛みが生じたままでテープカートリッジを収納保管すると、記録テープに折り傷がつくおそれがあり、さらに、次回のテープローディング時にローディング不良を生じるおそれがあり、テープカートリッジの信頼性を著しく損ねてしまう。
【０００６】
本発明者は、上記のようなロック爪のクリープ変形を防ぎ、テープリールを常に確実にロック保持するために、テープリールの係合歯とロック係合する一対のロック爪の間に爪支持ピースを配置して、保管状態においてロック爪に作用する記録テープ等の重みを、爪支持ピースで受け止めることを考えた。例えば、図８および図９に示すように爪支持ピース５０を、本体ケースに溶着固定されるベース壁５１と、ベース壁５１に連続して折り曲げ形成される弾性変形可能な一対のばね腕５２とで構成し、左右のばね腕５２の外側面で、テープリール５７の係合歯５８と係合するロック爪５３を受け止める。
【０００７】
上記構成の爪支持ピース５０を備えたテープカートリッジを試作して、ロック爪５３の変形状況を確認した。その結果、ロック爪５３が過剰に弾性変形されてクリープ変形するのを阻止できることを確認した。しかし、爪支持ピース５０の溶着構造に問題のあることが判った。試作時には、図８に示すように本体ケースの下壁内面に、先のベース壁５１を受け止める浅い装着凹部５４を形成し、その中央部分に溶着ピン５５を突設し、ベース壁５１に設けたピン穴を先の溶着ピン５５に外嵌係合したのち、溶着ピン５５の突端を溶融変形することにより、爪支持ピース５０を下壁に溶着固定した。
【０００８】
上記のようにベース壁５１を溶着ピン５５で固定するとき、稀にではあるが、図８に想像線で示すように爪支持ピース５０の全体が溶着ピン５５の周りに回動し、ベース壁５１が回動した状態のままで固定されることが判った。このときのベース壁５１の回動変位角度をθ２で示している。このように、爪支持ピース５０が回動変位し、その固定姿勢にばらつきがあると、左右のばね腕５２で受け止められるときの、左右のロック爪５３の弾性変形量が大小に異なるため、一方のロック爪５３のクリープ変形は避けられても、他方のロック爪５３のクリープ変形を確実に防止できないことがある。さらに、前記一方のロック爪５３と係合歯５８との係脱動作に支障を来たすおそれがある。
【０００９】
溶着ピン５５を２個設けてベース壁５１の前後を溶着固定すると、爪支持ピース５０の回動変位を抑止できる。しかし、爪支持ピース５０を左右のテープリール５７に挟まれた狭い空間に配置する必要があるので、溶着ピン５５を２個設けるだけのスペースを確保するのが難しい。
【００１０】
本発明の目的は、悪条件下でテープカートリッジが保管される場合であっても、ロック爪がクリープ変形するのを防止して、テープリールを常に確実にロック保持できるようにし、以てテープカートリッジの信頼性を向上することにある。本発明の目的は、爪支持ピースをより正確に位置決めした状態で本体ケースに固定できるようにし、以て独立して作動する左右のロック爪のクリープ変形を確実に防止することにある。
【課題を解決するための手段】
【００１１】
本発明のテープカートリッジは、本体ケース１の内部左右に記録テープ３を巻き取る一対のテープリール２・２が配置され、一対のテープリール２・２の隣接空間に、各テープリール２に対応して一対のロックピース１８・１８と、各ロックピース１８・１８をロック付勢するロックばね１９・１９が設けてある。ロックピース１８・１８には、テープリール２・２の周縁に設けた係合歯１５・１５とロック係合する弾性変形可能なロック爪２１が設けてある。保管状態において、テープリール２および記録テープ３の重みを、ロック爪２１を介して受け止める爪支持ピース３０を本体ケース１の内部に設ける。爪支持ピース３０は、ロック爪２１を個別に受け止める一対のばね腕３１・３１と、本体ケース１に設けた溶着ピン４１に溶着固定される装着壁３３と、装着壁３３が溶着ピン４１の周りに回動変位するのを規制する位置決め体３４とを備えている。以て、位置決め体３４を、本体ケース１に設けた位置規制部４２で受け止めて、爪支持ピース３０が溶着ピン４１の周りに回動するのを規制する。
【００１２】
具体的には、一対のばね腕３１は、両ばね腕３１・３１の基端どうしを結ぶ縦壁３２を介して連続している。縦壁３２の上端に連続して装着壁３３がばね腕３１の連出方向と同じ方向へ折り曲げ形成されて、その面壁に溶着ピン４１と係合するピン穴３７が形成してある。さらに、縦壁３２の下端に連続して位置決め壁３４が装着壁３３とは逆向きに折り曲げ形成してある。本体ケース１の内面に、装着壁３３を受け止める溶着座４０を突設し、その上端に溶着ピン４１を形成する。溶着座４０に隣接して、位置決め壁３４の周縁を受け止める位置規制部４２を本体ケース１に形成する。
【００１３】
ロックピース１８は、本体ケース１で前後スライド自在に案内支持される本体部２０と、本体部２０から連出されるく字状のロック爪２１とを含んで構成する。ロック爪２１のばね腕３１との対向面に、ばね腕３１で受け止められる規制突起２３を形成する。
【発明の効果】
【００１４】
本発明は、本体ケース１の内部に一対のロックピース１８やロックばね１９などを含むリールロック構造を有し、左右のテープリール２を個々のロックピース１８で個別的にロック保持できるテープカートリッジにおいて、本体ケース１の内部にロック爪２１の過剰な弾性変形を阻止する爪支持ピース３０を設けるようにした。このように、爪支持ピース３０を備えたテープカートリッジによれば、テープカートリッジを縦長姿勢で長期にわたって保管する際に、テープリール２や記録テープ３の重みでロック爪２１が変形しようとするとき、ロック爪２１を爪支持ピース３０で受け止めて、そのばね腕３１自体が弾性変形することでロック爪２１が過剰に弾性変形するのを防止し、クリープ変形するのを阻止できる。したがって本発明のテープカートリッジによれば、縦長姿勢で長期にわたって保管されていたテープカートリッジを再使用する場合であっても、テープリール２に設けた係合歯１５をロックピース１８で常に確実にロック保持して、テープカートリッジの信頼性を向上できる。また、爪支持ピース３０を付加するだけでロック爪２１のクリープ変形を阻止できるので、構造変更に伴うコスト増を最小限化できる。
【００１５】
爪支持ピース３０に、装着壁３３とは別に位置決め体３４を設け、位置決め体３４を本体ケース１の位置規制部４２で受け止めた状態、すなわち、爪支持ピース３０が溶着ピン４１の周りに回動するのを規制した状態で、装着壁３３を溶着ピン４１で溶着固定するので、爪支持ピース３０をより正確に位置決めした状態で本体ケース１に固定でき、したがって、爪支持ピース３０の固定姿勢のばらつきに伴う、ロック爪２１の過剰な弾性変形を一掃して、独立して作動する左右のロック爪２１のクリープ変形を確実に防止できる。
【００１６】
一対のばね腕３１と、両ばね腕３１・３１を結ぶ縦壁３２と、縦壁３２の上下端に連続する装着壁３３および位置決め壁３４とで爪支持ピース３０を構成し、装着壁３３と位置決め壁３４を互いに逆向きに折り曲げ形成したうえで、本体ケース１の内面に突設した溶着座４０に装着壁３３を溶着固定し、さらに溶着座４０に隣接して設けた位置規制部４２で位置決め壁３４を回動規制するテープカートリッジによれば、左右のテープリール２・２で挟まれる狭い空間を有効に利用しながら、爪支持ピース３０を正確に位置決めした状態で本体ケース１に固定できる。
【００１７】
つまり、テープリール２・２で挟まれる狭い空間のうち、スペース的に余裕のある部分に溶着座４０を設けて、そこに装着壁３３を溶着固定でき、邪魔になりにくい位置決め壁３４および位置規制部４２をより狭い空間に設けて、爪支持ピース３０を確実に回動規制できる。さらに、爪支持ピース３０の最上面に装着壁３３を設けるので、装着壁３３が縦壁３２の下端に連続して形成してある場合に比べて、ばね腕３１に邪魔されることなく溶着ピン４１を溶融変形できるので、装着壁３３が溶着ピン４１の周りに回動するのをさらに確実に防止して、爪支持ピース３０の本体ケース１に対する組み付け精度をさらに向上できる利点もある。
【００１８】
前後スライド自在な本体部２０と、本体部２０から連出されるく字状のロック爪２１とを含んでロックピース１８を構成し、ロック爪２１のばね腕３１との対向面に規制突起２３を形成すると、例えば爪支持ピース３０の両側に規制突起２３が突設してある場合に比べて、爪支持ピース３０の左右幅を小さくできるので、テープリール２・２の隣接間隔が小さい個所であっても問題なく爪支持ピース３０を配置して、最も撓み変形しやすいロック爪２１の先端寄りを爪支持ピース３０で受け止め保持して、ロック爪２１のクリープ変形を確実に防止できる。
【発明を実施するための最良の形態】
【００１９】
（実施例）  図１ないし図７は本発明に係るテープカートリッジの実施例を示す。図２においてテープカートリッジは、本体ケース１の内部左右にテープリール２・２を配置し、一方のテープリール２に巻装された記録テープ（磁気テープまたは光テープ）３をケース外へ繰り出し、繰り出された記録テープ３を他方のテープリール２で巻き取る間に情報信号を記録テープ３に記録し、あるいは記録テープ３に記録された情報信号を読み取るように構成してある。本体ケース１は、二分割された上ケース１ａおよび下ケース１ｂを蓋合わせ状に接合して構成する。
【００２０】
本体ケース１の前部には、記録テープ３をケース外へ引き出し操作するためのローディング用のポケット４が設けてあり、このポケット４の前部両側に設けたテープガイド５で、記録テープ３をローディング可能な状態に張り保持している。不使用時のテープ保護のために、テープガイド５で張り保持された記録テープ３の前面を上下に揺動開閉可能な前蓋７で覆い、記録テープ３の後面を前蓋７に連動して揺動開閉する裏蓋８で覆っている。前蓋７は図示していないばねで閉じ勝手に移動付勢され、図示していない蓋ロック構造で開放不能にロック保持してある。蓋ロック構造はテープカートリッジをテープドライブに装填するときの差し込み動作を利用してロック解除操作され、引き続き前蓋７および裏蓋８が開放操作される。
【００２１】
テープリール２は、記録テープ３の巻き始端が固定されるボス１０と、上下一対のフランジ１１・１２とで構成してあり、下向きに開口するボス１０の内面にスプライン穴状の駆動穴が形成してある。上ケース１ａの内面にはばね板材で形成したリール押えばね１４が固定してあり、このばね１４でボス１０の上面中央の突起を押し下げ付勢することにより、不使用時の両リールテープ２・２を下ケース１ｂに押し付けている。両テープリール２・２の下フランジ１２の周縁には、後述するロックピース１８と係合する係合歯１５が周回状に形成してある。
【００２２】
一対のテープリール２・２の隣接空間、詳しくは、本体ケース１の後壁と左右のテープリール２・２の後部周囲を囲む部分円弧状の区分壁１７とで囲まれる三角形状の空間に、不使用状態において各テープリール２・２の弛み方向への回転を防ぐロック構造を設ける。図３および図４においてロック構造は、各テープリール２・２に対応して隣接配置される一対のロックピース１８・１８と、各ロックピース１８をロック付勢するロックばね１９と、先に説明した係合歯１５と、本体ケース１に設けられて両ロックピース１８・１８を前後スライド自在に案内支持するガイド構造などで構成する。
【００２３】
図３および図５に示すようにロックピース１８は、下向きに開口する箱構造の本体部２０と、本体部２０の前面下部から連出されるく字状のロック爪２１などで構成する。本体部２０にはロック解除用の穴２０ａが形成してある。ロック爪２１の先端一側には、先の係合歯１５と係合する係合片２２が形成してあり、ロック爪２１の先端寄り他側の下部には、後述する爪支持ピース３０のばね腕３１で受け止められる規制突起２３が形成してある。規制突起２３は一対の斜辺部を備えた台形状に形成する。左右のロックピース１８は線対称状に構成してある。
【００２４】
左右のロックピース１８・１８の本体部２０は、下ケース１ｂに設けた左右一対のガイド壁２４・２４と、両ガイド壁２４・２４の間の中央ガイド壁２５とで前後スライド自在に案内支持されて、中央ガイド壁２５を挟んで隣接している。両ガイド壁２４・２４の間のケース底壁には、本体部２０をロック解除操作するための解除穴２６が、ロック解除用の穴２０ａに臨む状態で開口してある。
【００２５】
捻りコイルばねからなるロックばね１９の一方のばね腕はねじボスに掛止され、他方のばね腕は本体部２０の後縁下部に設けた切欠２７（図５参照）に掛止してある。左右の区分壁１７の前端には、ロックピース１８がケース後方へ向かってロック解除される際に、ロック爪２１をテープリール２の回転領域から離れる向きに弾性変形させる押圧片２８が形成してある。この押圧片２８は、ロックピース１８がロック状態に切り換わるときの進出限界を規定するストッパーも兼ねている。
【００２６】
上記構成のテープカートリッジを、本体ケース１の後壁が縦長になる状態で収納保管するとき、ロック爪２１がテープリール２および記録テープ３の重みを受けて過剰に弾性変形するのを防ぐために、係合歯１５と係合する左右のロック爪２１・２１の間に爪支持ピース３０を設けている。
【００２７】
図１および図３に示すように、爪支持ピース３０はばね板材を素材とするプレス成形品からなり、く字状に折り曲げられる一対のばね腕３１と、両ばね腕３１・３１の基端どうしを結ぶ縦壁３２と、本体ケース１に設けた溶着ピン４１で溶着固定される装着壁３３と、装着壁３３が溶着ピン４１の周りに回動変位するのを規制する位置決め壁（位置決め体）３４とを一体に備えている。ばね腕３１の先端には、規制突起２３を乗り上げ案内するガイド面３５が形成してあり、このガイド面３５に連続する受面３６で両ロック爪２１・２１を個別に受け止め支持する。
【００２８】
図６に示すように先の装着壁３３は、縦壁３２の上端に連続してばね腕３１の連出方向と同じ方向へ折り曲げ形成され、その面壁中央にピン穴３７が形成してある。位置決め壁３４は、縦壁３３の下端に連続して装着壁３３とは逆向きに折り曲げ形成してある。装着壁３３および位置決め壁３４は、それぞれ縦壁３２に対して直交する状態で折り曲げてある。
【００２９】
爪支持ピース３０を固定するために、本体ケース１の下壁内面に、装着壁３３を受け止める溶着座４０を突設し、その上面に溶着ピン４１を突設している。さらに、溶着座４０の基端に隣接して、位置決め壁３４の周縁を受け止める位置規制部４２を本体ケース１の下壁内面に凹み形成している。ピン穴３７が溶着ピン４１に外嵌する状態で装着壁３３を溶着座４０に接合し、同時に位置決め壁３４が位置規制部４２に接合する状態で溶着ピン４１の突端を溶融変形することにより、爪支持ピース３０を溶着座４０に固定できる。
【００３０】
この固定状態において、溶着ピン４１の中心から位置決め壁３４の位置規制部４２との接当面までの距離Ｌ１（図７参照）は、図８で説明した比較対象となる爪支持ピース５０における、溶着ピン５５の中心からベース壁５１の周縁の最遠部までの距離Ｌ２より大きく設定してある。これは、位置決め壁３４の突端隅部を位置規制部４２の内側面で受け止めて、爪支持ピース３０が溶着ピン４１の周りに回動規制されるときの回動角度θ１を、比較対象となる爪支持ピース５０において、ベース壁５１の隅部分が装着凹部５４の内側面で受け止められて、溶着ピン５５の周りに回動規制されるときの回動角度θ２より小さくするためである。
【００３１】
上記のように、回動角度θ１が回動角度θ２より小さいと、爪支持ピース３０をより正確に位置決めした状態で本体ケース１に固定して、爪支持ピース３０の固定姿勢のばらつきを最小限化できるので、左右のばね腕３１で受け止められるときの両ロック爪２１の弾性変形量を均等化でき、したがって独立して作動する左右のロック爪２１・２１のクリープ変形を確実に防止できる。さらに、両ロック爪２１・２１と係合歯１５との係脱動作を常に適正に行うことができる。なお、上記の取り付け状態における左右のばね腕３１・３１は、図１に示すようにテープリール２・２が最大限ずれ動いたとき占有領域の外に位置している。したがって、テープリール２が回転駆動されるとき下フランジ１２の周面が爪支持ピース３０と接触することはない。
【００３２】
図１に示すように、ロックピース１８がロック解除体４４でロックばね１９の付勢力に抗してロック解除された状態においては、ロックピース１８がケース後壁で受け止められており、ロック爪２１は係合歯１５から分離して、その係合片２２が押圧片２８で受け止められている。ロック解除体４４による拘束を開放すると、ロックピース１８はロックばね１９の付勢力を受けてケース前方へ進出スライドし、ロック爪２１に設けた規制突起２３がガイド面３５に案内されてばね腕３１の受面３６に乗り上がり、図４に示すように係合片２２が下フランジ１２の係合歯１５と係合してロック状態に切り換わる。
【００３３】
上記のように、不使用状態におけるロックピース１８のロック爪２１は、規制突起２３を介してばね腕３１で受け止められる。そのため、テープカートリッジを本体ケース１の後壁が縦長になる状態で収納保管する場合に、上下方向の上側に位置するテープリール２および記録テープ３の重みがロック爪２１に作用したとしても、ロック爪２１に作用する重みをばね腕３１で受け止めてばね腕３１自身が弾性変形し、その弾性力でロック爪２１が過剰に弾性変形するのを防止できる。したがって、テープカートリッジが長期にわたって収納保管される場合でも、ロック爪２１がクリープ変形するのを確実に防止して、リールロック構造の信頼性を向上できる。
【００３４】
なお、ロック爪２１に作用する重量は、テープリール２に対する記録テープ３の巻き込み量によって大きく異なる。したがって、ばね腕３１の弾性力は、全ての記録テープ３がテープリール２に巻き込んである場合であっても、ロック爪２１が過剰に弾性変形するのを防止できる程度に設定しておくことが好ましい。なお、ロック爪２１の弾性変形量が過剰であるか否かは、ロック爪２１に作用する重量が開放された状態において、ロック爪２１の係合片２２が下フランジ１２の係合歯１５と係合できるか否かを目安とする。
【００３５】
上記の実施例では、爪支持ピース３０に一対のばね腕３１を設けるので、縦長姿勢で収納保管したテープカートリッジと正対した状態において、上ケース１ａが左右いずれの側を向いていてもよい。つまり、あるラックでは上ケース１ａが左側を向く状態でテープカートリッジを縦長姿勢で収納保管し、別のラックでは上ケース１ａが右側を向く状態でテープカートリッジを縦長姿勢で収納保管できる。しかし、上ケース１ａが左右いずれか一方を向く姿勢でテープカートリッジを縦長姿勢で収納保管することが決まっている場合には、テープリール２および記録テープ３の重量は片方のばね腕３１にしか作用しないので、他方のばね腕３１は省略することができる。
【００３６】
上記の実施例以外に、位置決め体３４は突起、リブ、溝などで形成することができる。同様に、位置規制部４２は突起、リブ、溝などで形成することができる。位置決め壁３４は装着壁３３と一体に形成することができる。例えば、図８で説明したベース壁を延長して位置決め壁として、これを装着凹部で受け止めて爪支持ピースとすることができる。係合歯１５は上フランジ１１の側に設けることができ、その場合には、爪支持ピース３０を上ケース１ａの上壁内面に固定する。爪支持ピース３０はゴムブロックやばね線材で形成することができる。規制突起２３は爪支持ピース３０の側に設けることができる。
【図面の簡単な説明】
【００３７】
【図１】リールロック構造を示す本体ケース内部の横断平面図である。
【図２】テープカートリッジの横断平面図である。
【図３】リールロック構造の分解斜視図である。
【図４】ロック状態のリールロック構造を示す横断平面図である。
【図５】図４におけるＡ−Ａ線断面図である。
【図６】図７におけるＢ−Ｂ線断面図である。
【図７】爪支持ピースの平面図である。
【図８】爪支持ピースの比較例を示す横断平面図である。
【図９】図８におけるＣ−Ｃ線断面図である。
【符号の説明】
【００３８】
１  本体ケース
２  テープリール
３  記録テープ
１５  係合歯
１８  ロックピース
１９  ロックばね
２１  ロック爪
３０  爪保持ピース
３１  ばね腕
３３  装着壁
３４  位置決め壁
４１  溶着ピン
４２  位置規制部
【図１】
2008165878.tif 000003
【図２】
2008165878.tif 000004
【図３】
2008165878.tif 000005
【図４】
2008165878.tif 000006
【図５】
2008165878.tif 000007
【図６】
2008165878.tif 000008
【図７】
2008165878.tif 000009
【図８】
2008165878.tif 000010
【図９】
2008165878.tif 000011